(57)【特許請求の範囲】
【請求項１】
浴室のドアを設ける出入口部と横引き排水管の間に、上面側の開口部と下方側の横向き流出口部を縦長の内部通路で連通した排水具を配設し、出入口部の排水口と排水具の開口部を連通させると共に、排水管と排水具の流出口部を連通させた浴室のドア下の排水構造において、前記排水具は、内部通路を縦長の仕切壁で通水路と通気路に区画し、該通気路の下方を前記横向き流出口部の上方寄りに連通させ、該通水路の下方を通気路の下方よりも下で前記横向き流出口部に連通させたことを特徴とする浴室のドア下の排水構造。
【請求項２】
前記出入口部の排水口を、排水口の周縁から上方へ突出して通水・通気可能な格子目を有するストレーナで覆い、該格子目の大きさを、前記排水具の通水路に対面する通水領域よりも通気路に対面する通気領域の方を細かくした請求項１記載の浴室のドア下の排水構造。
【請求項３】
前記排水具の仕切壁の上端を、前記ストレーナの通水領域と通気領域との境界又はその近辺まで突出させた請求項２記載の浴室のドア下の排水構造。
【発明の詳細な説明】
【技術分野】
【０００１】
本発明は、浴室のドア下に設けられた排水構造に関するものである。
【背景技術】
【０００２】
従来、浴室のドア下の排水構造は、浴室のドアを設ける出入口部と横引き排水管の間に、上面側の流入口部と下方側の横向き流出口部を縦長の内部通路で連通した排水具を配設し、出入口部の排水口と排水具の流入口を連通させると共に、排水管と排水具の流出口部を連通させたものがある（特許文献１）。ところが、従来のドア下排水構造は、排水具の内部通路の全体を排水路としているため、多量の水が出入口部へ流れ込んだとき、排水具の流出口部や排水管の上流側を多量の水で塞いで横引き排水管の空気抜きができず、排水を円滑に行なえないことがある。
【０００３】
そこで、排水管の空気抜き手段としては、一端を排水管に接続して延設した排気管の他端を浴室内の適所（例えば、浴槽載置部の上、カウンターの下部）に開放したものがある（特許文献２）。                                                                    
【特許文献１】特開２０００−２７４１５４号公報
【特許文献２】特開２００１−１４６７７８号公報
【発明の開示】
【発明が解決しようとする課題】
【０００４】
しかし、排水管と浴室内の適所を排気管で接続する従来の空気抜き手段は、浴室床部の裏面側で行なう排気管の配管作業に多くの手間を必要とすると共に、排気管の接続が確実に行なわれないとき漏水の原因となることがある。
【０００５】
本発明は、上記問題を解決するために、多くの手間を必要とせず、また漏水の心配の無い浴室のドア下排水構造の提供を目的とする。
【課題を解決するための手段】
【０００６】
多くの手間を必要とせず、また漏水の心配の無いようにするために請求項１記載の本発明が採用した手段は、浴室のドアを設ける出入口部と横引き排水管の間に、上面側の開口部と下方側の横向き流出口部を縦長の内部通路で連通した排水具を配設し、出入口部の排水口と排水具の開口部を連通させると共に、排水管と排水具の流出口部を連通させた浴室のドア下の排水構造において、前記排水具は、内部通路を縦長の仕切壁で通水路と通気路に区画し、該通気路の下方を前記横向き流出口部の上方寄りに連通させ、該通水路の下方を通気路の下方よりも下で前記横向き流出口部に連通させたことを特徴とする浴室のドア下の排水構造である。
【０００７】
請求項１記載の本発明は、浴室の出入口部の排水口へ流れ込んだ排水を、排水具の開口部、通水路及び横向き流出口部を通過させて横引き排水管へ導いて排出させると共に、横引き排水管へ導かれた排水で押された横引き排水管内の空気を、排水具の横向き流出口部の上方寄り、通気路及び開口部で形成される排気路を逆流状態で通過させて浴室の出入口部へ導いて排出せる。本発明は、浴室の出入口部と横引き排水管の間に排水具を配設するだけで、排水具の内部に形成した排気路で、浴室の出入口部と排水管の間を排気可能に連通する。
【０００８】
通気路へ排水が浸入するのを抑制するために請求項２記載の本発明が採用した手段は、前記出入口部の排水口を、排水口の周縁から上方へ突出して通水・通気可能な格子目を有するストレーナで覆い、該格子目の大きさを、前記排水具の通水路に対面する通水領域よりも通気路に対面する通気領域の方を細かくした請求項１記載の浴室のドア下の排水構造である。
【０００９】
請求項２記載の本発明は、排水具の通気路に対面する通気領域の方が通水路に対面する通水領域よりも通水抵抗が大きくなるため、多量の水が出入口部の排水口へ流れ込んだとき、その大部分を通水抵抗の小さな通水領域へ導く。
【００１０】
通気路へ排水が浸入するのを防止するために請求項３記載の本発明が採用した手段は、前記排水具の仕切壁の上端を、前記ストレーナの通水領域と通気領域との境界又はその近辺まで突出させた請求項２記載の浴室のドア下の排水構造である。
【００１１】
請求項３記載の本発明は、ストレーナの通水領域を通過した排水が、ストレーナの内側で通気領域へ向かうのを仕切壁の突出した上端で阻止するため、排水具の通気路へ浸入するのを抑制できる。
【発明の効果】
【００１２】
請求項１記載の本発明に係る浴室のドア下の排水構造は、浴室の出入口部と横引き排水管の間に排水具を配設するだけで、排水具の内部に形成した排気路で、浴室の出入口部と排水管の間を排気可能に連通するので、多くの手間を必要とせず、また、漏水の心配がなくなる。
【００１３】
請求項２記載の本発明に係る浴室のドア下の排水構造は、格子目の大きさを調整したストレーナにより、通気路へ排水が浸入するのを抑制して通気路の排気を確保することができる。
【００１４】
請求項３記載の本発明に係る浴室のドア下の排水構造は、ストレーナ内側の排水を通気領域へ向かうを仕切壁の先端で阻止して排水具の通気路へ侵入するのを防止できるので、通気路の排気を確保することができる。
【発明を実施するための最良の形態】
【００１５】
本発明に係る浴室のドア下の排水構造（以下、「本発明排水構造」と言う。）を図面に示す実施形態に基づいて説明する。
【００１６】
図１乃至図６は本発明排水構造１の一つの実施の形態を示すものであり、図１は左半分を断面した正面図、図２は浴室Ｇのドア７を設ける出入口部２を横断面すると共に排水具４の一部を破断した右側面図、図３は排水具４を示すものであって、図（Ａ）は左半分を断面した正面図、図（Ｂ）は断面した背面図である。図４は排水具４を示す斜視図である。図５はストレーナ９を拡大して示すものであって、図（Ａ）は平面図、図（Ｂ）は正面図、図（Ｃ）は右側面図である。図６は排水具４の別態様を示す斜視図である。前後、左右及び上下は、図中に示す通りである。
【００１７】
本発明排水構造１は、図１及び図２に示す如く、浴室Ｇのドア７を設ける出入口部２と横引き排水管３の間に排水具４を配設し、出入口部２と横引き排水管３を排水具４で排水可能に連通して、ドア７と出入口部２との隙間から流入した排水を、横引き排水管３へ導くようにしてある。出入口部２は、浴室Ｇを構築する洗い場用防水パン５と脱衣室Ｍに配設したドア枠体６からなり、ドア枠体６にヒンジ（図示略）を介してドア７を開閉自在に取付けると共に、ドア枠体６に形成した排水溝６ａの底部に排水口６ｂを開設し、ドア７との隙間から流入した排水を排水口６ｂへ導くようにしてある。出入口部２に設けるドア７は、開戸以外に、引戸や折戸とすることも可能である。
【００１８】
前記排水具４は、図３及び図４に示す如く、縦長で有底の筒部４ａと、筒部４ａの上端に形成したフランジ部４ｂと、筒部４ａの下方側部に開設する横向き流出口部４ｃの周縁から横向きに突出した排水口部４ｄと、フランジ部４ｂの左右両端寄りの各々に設けた係止部４ｅと、筒部４ａの中央寄りに設けた複数の取付片４ｆと、筒部４ａの内部を区画する縦長の仕切壁４ｇとを、合成樹脂素材等から一体に形成してある。また排水具４は、フランジ部４ｂの内側に開口した上面側の開口部４ｈと下方側の横向き流出口部４ｃとを、筒部４ａの内部に形成した縦長の内部通路４ｉで連通させると共に、この縦長の内部通路４ｉを縦長の仕切壁４ｇで通水路４ｊと通気路４ｋとに区画して、通気路４ｋの下方を横向き流出口部４ｃの上方寄りに連通させると共に、通水路４ｊの下方を通気路４ｋの下方よりも下で横向き流出口部４ｃに連通させてある。本例の排水具４は、二つの仕切壁４ｇ，４ｇを設けることで、縦長の内部通路４ｉを左右の通水路４ｊ，４ｊと中央の通気路４ｋとに区画し、通気路４ｋの下方を円形の横向き流出口部４ｃの中央上方に連通させてある。
【００１９】
前記排水具４は、図１に示す如く、ドア枠体６の底面にシール材８を介してフランジ部４ｂを密着させて、洗い場用防水パン５の係合部５ａに左右の係止部４ｅ及び複数の取付片４ｆで取付け固定し、排水口部４ｄに排水管３を接合して出入口部２の排水口６ｂと開口部４ｈとを連通させると共に、排水管３と流出口部４ｃを連通させてある。なお、排水具４は、係止部４ｅ及び取付片４ｆで取付け固定する以外に、図示は省略しが、洗い場用防水パン５にビスで取付け固定することもある。
【００２０】
前記ドア枠体６の排水口６ｂ及び排水具４は、図１に示す如く、ストレーナ９で覆われ、排水と共に流入しよとする毛等をストレーナ９で捕獲するようにしてある。ストレーナ９は、合成樹脂素材から成型され、ドア枠体６の排水口６ｂの周縁から上方へ突出して、突出した前後側面及び上面に通水・通気可能な格子目を有し、前後側面及び／又は上面に形成した格子目の大きさを、排水具４の通水路４ｊに対面する通水領域９ｊよりも通気路４ｋに対面する通気領域９ｋの方を細かくしてある（本例では、図５の図（Ａ）に示す如く、上面に形成した格子目の大きさについて細かくしてある）。また、ストレーナ９は、左右から垂下した係止爪９ａ，９ａを、ドア枠体６の排水口６ｂの周縁又は排水具４に係止して着脱自在に取付けてある。ストレーナ９の保守は、ドア枠体６に備えた通水孔付き蓋部６ｃ（図２参照）を取外して行なうようにしてある。
【００２１】
本発明排水構造１は、図１に示す如く、前記ストレーナ９を配設した場合、排水具４の通気路４ｋに対面するストレーナ９の通気領域９ｋの方が排水具４の通水路４ｊに対面する通水領域９ｊよりも通水抵抗が大きくなるため、多量の排水が出入口部２を構成するドア枠体６の排水口６ｂへ流れ込んだとき、その大部分を通水抵抗の小さな通水領域９ｊへ導いて、排水具４の通水路４ｊへ排出させることができる。
【００２２】
前記排水具４は、図１に示す如く、通気路４ｋへ排水が浸入するのを更に防止するために、二つの仕切壁４ｇの上端４ｇ’を、前記ストレーナ９の通水領域９ｊと通気領域９ｋとの境界又はその近辺まで突出させてある。この場合には、ストレーナ９の通水領域９ｊを通過した排水が、ストレーナ９の内側において通気領域９ｋへ向かうのを仕切壁４ｇの上端４ｇ’で阻止され、排水具４の通気路４ｋへ浸入するのを抑制することができる。
【００２３】
なお、排水具４は、図６に示す如く、左右の仕切壁４ｇの上端４ｇ’，４ｇ’の前後両端を前後の延長板部１１，１１で接合して、開口部４ｈから通気路４ｋを延長することもある。
【００２４】
前記の如く構成した本発明排水構造１は、浴室Ｇの出入口部２の排水口６ｂへ流れ込んだ排水を、排水具４の開口部４ｈ、通水路４ｊ及び横向き流出口部４ｃを通過させて横引き排水管３へ導いて排出すると共に、横引き排水管３へ導かれた排水で押された横引き排水管３内の空気を、排水具４の横向き流出口部４ｃの上方寄り、通気路４ｋ及び開口部４ｈで形成される排気路４ｍ（図１参照）を逆流状態で通過させて出入口部２へ導いて排出する。そして、本発明排水構造１は、浴室Ｇの出入口部２と横引き排水管３の間に排水具４を配設するだけで、排水具４の内部に形成した排気路４ｍで、出入口部２と排水管３の間を排気可能に連通できる。その結果、本発明排水構造１は、浴室Ｇの出入口部２と横引き排水管３の間に排水具４を配設する簡単な作業で、排水具４の内部に形成した排気路４ｍで、出入口部２と排水管３の間を排気可能に連通できるので、多くの手間を必要とせず、また、漏水の心配のない優れた効果を奏する。
【図面の簡単な説明】
【００２５】
【図１】本発明排水構造の一つの実施の形態を示すものであり、左半分を断面した正面図である。
【図２】浴室の出入口部を横断面すると共に排水具の一部を破断した右側面図である。
【図３】排水具を示すものであって、図（Ａ）は左半分を断面した正面図、図（Ｂ）は断面した背面図である。
【図４】排水具を示す斜視図である。
【図５】ストレーナを拡大して示すものであって、図（Ａ）は平面図、図（Ｂ）は正面図、図（Ｃ）は右側面図である。
【図６】排水具の別態様を示す斜視図である。
【符号の説明】
【００２６】
Ｇ…浴室、２…出入口部、３…横引き排水管、４…排水具、４ｃ…横向き流出口部、４ｇ…仕切壁、４ｈ…開口部、４ｉ…内部通路、６ｃ…排水口
【図１】
0004993737.tif 000002
【図２】
0004993737.tif 000003
【図３】
0004993737.tif 000004
【図４】
0004993737.tif 000005
【図５】
0004993737.tif 000006
【図６】
0004993737.tif 000007